(57)【特許請求の範囲】
【請求項１】
鍵本体部と、ヒンジ部を介してその鍵本体部を傾動自在に支持する基部と、その基部からその鍵本体部の延伸方向に延伸形成された支持部とを含む鍵ユニットと、
上記鍵本体部への押圧状態を検出するスイッチが設けられた基板と、
を含み、
上記鍵ユニットは、上記延伸方向において異なる少なくとも２つの位置で、上記基板に対して固定されていること特徴とする鍵盤構造。
【請求項２】
請求項１に記載の鍵盤構造において、
上記鍵ユニットは、上記支持部と上記基部のそれぞれで、上記基板に対して固定されていること特徴とする鍵盤構造。
【請求項３】
請求項１又は２に記載の鍵盤構造において、
上記鍵本体部の裏側に形成された支持部ストッパーを更に含み、
上記鍵本体部を押圧すると、その押圧の途中で上記支持部ストッパーが上記支持部に当たり、上記鍵本体部へのそれ以上の押圧が制止されることを特徴とする鍵盤構造。
【請求項４】
請求項１から３の何れかに記載の鍵盤構造を備える電子鍵盤楽器。
【発明の詳細な説明】
【技術分野】
【０００１】
この発明は、電子鍵盤楽器の鍵盤構造に関する。
【背景技術】
【０００２】
図４を参照して、背景技術による鍵盤構造について説明する。
【０００３】
金属からなるフレーム１３が、ねじ１４を用いて基板１２に対して固定されている。この基板１２及びフレーム１３の上に、スイッチ１１が取り付けられている。また、フレーム１３の後端部１３ａに、鍵ユニット１５がねじ１６により固定されている。
【０００４】
鍵ユニット１５を基板１２ではなく金属からなるフレーム１３に対して固定するのは、フレーム１３の方が基板１２よりも強度が高いためである。
【０００５】
鍵本体部１５ａを押鍵すると、ヒンジ部１５ｂが変形して、鍵本体部１５ａは傾動する。押鍵量が一定の押鍵量を超えると、鍵本体部１５ａの裏面に形成されたアクチュエーター１５ｃがスイッチ１１をオンにする。図４に、傾動した状態の鍵本体部１５ａを一点鎖線で示す。
【０００６】
なお、この背景技術による鍵盤構造についての先行技術文献はない。
【発明の開示】
【発明が解決しようとする課題】
【０００７】
背景技術による鍵盤構造においては、金属からなるフレーム１３が、鍵盤構造の前部から後部にかけて広く用いられているため、鍵盤構造が重くなるという問題があった。
【０００８】
この発明は、上記問題に鑑み、鍵盤構造を軽量化した鍵盤構造及び電子鍵盤楽器を提供することを目的とする。
【課題を解決するための手段】
【０００９】
この発明による鍵盤構造は、鍵本体部とヒンジ部を介してその鍵本体部を傾動自在に支持する基部とその基部からその鍵本体部の延伸方向に延伸形成された支持部とを含む鍵ユニットと、鍵本体部への押圧状態を検出するスイッチが設けられた基板と、を含み、鍵ユニットは、延伸方向において異なる少なくとも２つの位置で、基板に対して固定されている。
【００１０】
この発明の電子鍵盤楽器は、上記鍵盤構造を備える。
【発明の効果】
【００１１】
鍵ユニットを、鍵本体部の延伸方向において異なる少なくとも２つの位置で、基板に対して固定することにより、鍵ユニットを安定して基板に固定することができる。これにより、金属からなるフレームではなく、基板自体に鍵ユニットを取り付けることができるため、フレームを用いる場所を少なくするか、フレームを用いないで済む。したがって、鍵盤構造を軽量化することができる。
【発明を実施するための最良の形態】
【００１２】
以下、図面を参照して、この発明の一実施例について説明する。対応する部分には同じ符号を付けて重複説明を略する。
【００１３】
図１は鍵盤構造の例の要部の側面図であり、図２は鍵ユニットの例の斜視図であり、図３は鍵盤構造の例の分解斜視図である。図２は１オクターブ分の鍵ユニットのみを示している。この発明による鍵盤構造及び電子鍵盤楽器は、図２に例示する鍵ユニットを必要なオクターブ分だけ備えている。
【００１４】
鍵ユニット３の鍵本体部３ａ，３ｂは、前方に延伸形成されている。ここで、前方とは、演奏者を基準として前の方向であり、具体的には図１の紙面に対して左の方向である。鍵本体部３ａは白鍵の鍵本体部であり、鍵本体部３ｂは黒鍵の鍵本体部である。白鍵の鍵本体部３ａの前方の先端には、下方に突出し、前面が平らになっている突出部３ｇが形成されている。突出部３ｇの前面は平らになっている。鍵本体部３ａ，３ｂの裏面には、上限ストッパー３ｌ，３ｍ、下限ストッパー３ｎ，３ｏ及びアクチュエーター３ｐ，３ｑが形成されている。
【００１５】
鍵本体部３ａ，３ｂは、肉薄のヒンジ部３ｃ，３ｄを介して、後方に配置された基部３ｅに傾動自在に支持されている。ここで、後方とは、演奏者を基準として後ろの方向であり、具体的には図１の紙面に対して右の方向である。ヒンジ部３ｃ，３ｄは、鍵本体部３ａ，３ｂへの押圧により変形するが、鍵本体部３ａ，３ｂへの押圧を解除すると、その復元力により鍵本体部３ａ，３ｂを元の位置に戻す。
【００１６】
基部３ｅは、鍵本体部３ａ，３ｂを傾動自在に支持する。基部３ｅの下面には、図２に示すように取り付け用の穴３ｈ，穴３ｉ、係合部３ｊが形成されている。穴３ｈ及び係合部３ｊは、鍵ユニット３を基板４に対して固定するために用いられる。穴３ｉは、鍵盤構造を電子鍵盤楽器に固定するために用いられる。
【００１７】
基部３ｅから、鍵本体部３ａ，３ｂの延伸方向に支持部３ｆが延伸形成される。支持部３ｆの下面には、図２に示すように取り付け用の穴３ｋが形成されている。支持部３ｆは、図１に示すように、鍵本体部３ａ，３ｂと基板４の間に配置されている。
【００１８】
なお、この例では、鍵ユニット３は、図３に示すように第一白鍵ユニット３１、第二白鍵ユニット３２及び黒鍵ユニット３３が積層されることにより構成されている。
【００１９】
基板４の中央部には、図１に示すように鍵本体部３ａ，３ｂの押圧状態を検出するスイッチ４ａが設けられている。押圧状態とは、鍵本体部３ａ，３ｂへの押圧の有無、及び、押圧の速さ等のことである。また、基板４には、基部３ｅの穴３ｈ、支持部３ｆの穴３ｋにそれぞれ対応する穴４ｂ、穴４ｃが形成されている。また、係合部３ｊに対応する穴４ｄが形成されている。また、下限ストッパー３ｎ，３ｏに対応する位置に、この例では基板４の前方にフェルト４ｆが設けられている。さらに、アングル５を固定するための穴４ｅが、基板４の、フェルト４ｆの長手方向の両端の周辺に形成されている。
【００２０】
金属からなるアングル５は、図３に示すように幅方向の両端が前方に折り曲げられており、断面コ字状である。前方に折り曲げられた一方の脚部５ａの下面には、フェルト６が設けられている。また、前方に折り曲げられた他方の脚部５ｂには、鍵盤構造を電子鍵盤楽器に固定するための穴５ｃが形成されている。アングル５の長手方向の両端は後方に折り曲げられており、これにより固定部５ｄが形成される。固定部５ｄには、アングル５と基板４を固定するための穴５ｅが形成される。ねじ９は、図３に示すように基板４に形成された穴４ｅに挿入され、穴５ｅに螺合される。これにより、アングル５が基板４に対して固定される。
【００２１】
図３に示すように、鍵ユニット３の係合部３ｊが、基板４の穴４ｄに係合される。また、ねじ７は、基板４の穴４ｂに挿入され、鍵ユニット３の穴３ｈに螺合される。さらに、ねじ８は、基板４の穴４ｃに挿入され、鍵ユニット３の穴３ｋに螺合される。これにより、基板４は、鍵ユニット３に対して固定される。
【００２２】
鍵本体部３ａ，３ｂを押圧すると、ヒンジ部３ｃ，３ｄが変形して、鍵本体部３ａ，３ｂは基部３ｅに対して傾動する。スイッチ４ａは２段スイッチになっており、押圧量が増加すると、アクチュエーター３ｐがスイッチ４ａの１つ目のスイッチをオンにする。さらに、押圧量が増加すると、アクチュエーター３ｑがスイッチ４ａの２つ目のスイッチをオンにする。この鍵盤構造を備えた電子鍵盤楽器は、１つ目のスイッチがオンになった時間と、２つ目のスイッチがオンになった時間の差を用いて、押圧の強さを検出し、その押圧の強さに応じた音を発生させる。
【００２３】
さらに、押圧量が増加すると、下限ストッパー３ｎ，３ｏが、フェルト４ｆに当たり、それ以上の押圧を制止する。鍵本体部３ａ，３ｂへの押圧を解除すると、ヒンジ部３ｃ，３ｄの復元力により鍵本体部３ａ，３ｂは、元の位置に戻る方向に傾動する。その後、上限ストッパー３ｌ，３ｍが、フェルト６に当たり、鍵本体部３ａ，３ｂの傾動は制止される。これにより、鍵本体部３ａ，３ｂは元の位置に戻る。
【００２４】
上述のように、鍵ユニット３を、鍵本体部３ａ，３ｂの延伸方向において異なる２つの位置（この例では、ねじ７が螺合される位置、及び、ねじ８が螺合される位置）で、基板４に対して固定することにより、鍵ユニット３を安定して基板４に対して固定することができる。押鍵により生じる鍵ユニット３が基板４に対して回動しようとする力を、鍵本体部３ａ，３ｂの延伸方向において異なる少なくとも２つの位置で分散することができるためである。これにより、金属からなるフレームではなく、基板４自体に鍵ユニット３を取り付けることができるため、フレームを用いる場所を少なくするか、フレームを用いないで済む。したがって、鍵盤構造を軽量化することができる。さらに、製造コストを削減することもできる。
【００２５】
なお、鍵本体部３ａ，３ｂの延伸方向において異なる２つの位置の距離が離れているほど、押鍵により生じる鍵ユニット３が基板４に対して回動しようとする力の影響を小さくすることができるため、鍵ユニット３を基板４に対して安定して固定することができる。
【００２６】
［変形例等］
上記の例では、鍵ユニット３を基板４に対して２つの位置で固定したが、２つ以上の位置で固定してもよい。２以上の位置で固定することにより、鍵ユニット３を基板４に対してより安定して固定することができる。
【００２７】
上記の例では、支持部３ｆは、基部３ｅに対して鍵本体部３ａ，３ｂがある側に設けられているが、支持部３ｆが、基部３ｅに対して鍵本体部３ａ，３ｂがない側に設けられていてもよい。
【００２８】
鍵ユニット３が基板４に対して固定される位置は、鍵ユニット３の、鍵本体部３ａ，３ｂの延伸方向において異なる２つの位置であれば良く、上記の例における、ねじ７が螺合される位置、及び、ねじ８が螺合される位置に限られない。例えば、鍵ユニット３が基板４に対して固定される位置は、支持部３ｆの、鍵本体部３ａ，３ｂの延伸方向において異なる２つの位置であってもよい。
【００２９】
鍵ユニット３の鍵本体部３ａ，３ｂの裏側に支持部ストッパー３ｒを設けて、鍵本体部３ａ，３ｂが押圧により傾動すると、その途中で支持部ストッパー３ｒが支持部３ｆに当たり、鍵本体部３ａ，３ｂへのそれ以上の押圧が制止されるようにしてもよい。これにより、ヒンジ部３ｃ，３ｄの過度の変形を防ぐことができ、鍵盤構造の強度が増す。
【００３０】
図１から３に示した鍵盤構造の例では、黒鍵の鍵本体部３ｂの裏側に支持部ストッパー３ｒが設けられており、鍵本体部３ｂが押圧により傾動すると、まず第一押圧制止手段である下限ストッパー３ｏがフェルト４ｆに当たり、鍵本体部３ｂへの押圧が制止される。さらに、鍵本体部３ｂを押圧すると、下限ストッパー３ｏに押圧されたフェルト４ｆが沈み、鍵本体部３ｂはさらに傾動する。その傾動の途中で、第二押圧制止手段である支持部ストッパー３ｒが支持部３ｆに当たり、鍵本体部３ｂへのそれ以上の押圧を補助的に制止する。このように、この例では、支持部ストッパー３ｒは補助的な押圧制止手段として機能している。
【図面の簡単な説明】
【００３１】
【図１】鍵盤構造の例の要部の側面図。
【図２】鍵ユニットの例の斜視図。
【図３】鍵盤構造の例の分解斜視図。
【図４】従来技術による鍵盤構造の側面図。
【符号の説明】
【００３２】
３     鍵ユニット
３ａ，３ｂ    鍵本体部
３ｃ，３ｄ    ヒンジ部
３ｅ   基部
３ｆ   支持部
３ｇ   突出部
３ｈ   穴
３ｋ   穴
３ｒ   支持部ストッパー
４     基板
４ａ   スイッチ
４ｂ   穴
４ｃ   穴
【図１】
0005327662.tif 000002
【図２】
0005327662.tif 000003
【図３】
0005327662.tif 000004
【図４】
0005327662.tif 000005